(57)【要約】【課題】所望の入金額及び投入貨幣の金種に応じて電子マネーを入金することの可能な電子マネー入金機を提供する。【解決手段】貨幣の金種を指定するための金種指定部１２０と、投入された貨幣の金種が金種指定部１２０によって指定された所定の金種と一致している場合にのみ投入貨幣を受容する貨幣識別装置１５０と、貨幣識別装置１５０によって受容された貨幣の金額をＩＣチップ１１に記憶された電子マネー残高１１ｂに加算する制御部２００とを備えているので、金種指定部１２０で指定された所定の金種に一致した貨幣の投入数に応じて貨幣の金額が電子マネー残高１１ｂに加算され、所望の入金額及び投入貨幣の金種に応じて電子マネーが入金される。従って、利用者が持ち合わせている貨幣の金種及び金額に応じて確実に電子マネーを入金することができるので、利用者の利便性を向上させることができる。【選択図】図２
2007199970.tif 000002
【特許請求の範囲】
【請求項１】
電子マネーサービスで用いられる電子マネーの残高が記憶されたＩＣチップに対してデータの読み書きを行うアクセスユニットを備え、投入された貨幣の金額をアクセスユニットを介してＩＣチップの電子マネーの残高に加算するようにした電子マネー入金機において、
前記貨幣の金種を指定するための金種指定手段と、
投入された貨幣の金種が金種指定手段によって指定された所定の金種と一致している場合にのみ投入貨幣を受容する受容手段と、
受容手段によって受容された貨幣の金額をＩＣチップに記憶された電子マネーの残高に加算する制御手段とを備えた
ことを特徴とする電子マネー入金機。
【請求項２】
前記金種指定手段を貨幣の金種を複数種類指定可能に構成するとともに、
受容手段を、投入貨幣の種類が金種指定手段によって指定された貨幣の金種に含まれる場合に投入貨幣を受容するように構成した
ことを特徴とする請求項１記載の電子マネー入金機。
【請求項３】
前記受容手段を、投入貨幣の金種が金種指定手段によって指定されていない場合に投入貨幣を外部に排出するように構成した
ことを特徴とする請求項１または２記載の電子マネー入金機。
【請求項４】
前記制御手段を、受容手段によって貨幣が受容される毎に受容された貨幣の金額をＩＣチップに記憶された電子マネーの残高に加算するように構成した
ことを特徴とする請求項１、２または３記載の電子マネー入金機。
【請求項５】
前記ＩＣチップに対する電子マネーの入金処理を指示するための入金指定手段を備え、
制御手段を、入金指定手段によって入金処理を指示されたときに受容手段によって受容された貨幣の金額をＩＣチップに記憶された電子マネーの残高に加算するように構成した
ことを特徴とする請求項１、２または３記載の電子マネー入金機。
【請求項６】
前記金種指定手段による貨幣の金種の指定を取消すための指定取消手段を備え、
受容手段を、指定取消手段によって貨幣の金種の指定が取消された場合に全ての金種の貨幣を受容するように構成した
ことを特徴とする請求項１、２、３、４または５記載の電子マネー入金機。
【請求項７】
前記投入貨幣が受容手段によって受容されなかった場合に所定の異常情報を出力する異常情報出力手段を備えた
ことを特徴とする請求項１、２、３、４、５または６記載の電子マネー入金機。
【発明の詳細な説明】
【技術分野】
【０００１】
本発明は、例えば電子乗車券システム等で利用される電子マネーの残高が記憶されたＩＣチップに対して、投入された貨幣を電子マネーに換算して入金する電子マネー入金機に関するものである。
【背景技術】
【０００２】
従来、この種の電子マネー入金機として、電子マネーサービスで用いられる電子マネーの残高が記憶されたＩＣチップに対してデータの読み書きを行うアクセスユニットを備え、投入された貨幣の金額をアクセスユニットを介してＩＣチップの電子マネーの残高に加算するようにしたものが知られている。
【０００３】
この電子マネー入金機には、ＩＣチップの電子マネーの残高に加算する金額に対応した複数のボタンが設けられており、利用者が金額に対応したボタンを押下した後にその金額に相当する貨幣を投入することにより、電子マネーの入金処理が行われている。
【０００４】
しかしながら、この電子マネー入金機では、指定された金額のみの入金処理を行うので、利用者が入金額に応じた貨幣を持ち合わせていない場合には、電子マネーを入金することができないという問題点があった。また、利用者が投入する意思のない種類の貨幣を誤って投入した場合には、投入貨幣の金額が指定金額以下である限りＩＣチップの電子マネー残高に加算されるという問題点もある。
【０００５】
そこで、一種類の紙幣のみを投入可能にして、投入された紙幣の合計金額をＩＣチップに加算するようにしたものが知られている（例えば特許文献１参照）。
【０００６】
この電子マネー入金機は一種類の紙幣のみを投入可能にしているので、利用者が貨幣の金種を誤って投入した場合には、投入貨幣の金額がＩＣチップの電子マネー残高に加算されることがない。
【特許文献１】特開２００３−３６４６６号公報
【発明の開示】
【発明が解決しようとする課題】
【０００７】
しかしながら、前記従来例では、一種類の紙幣のみしか投入することができないので、利用者がその紙幣を持ち合わせていない場合には、電子マネーを入金することができないという問題点がある。
【０００８】
本発明は前記問題点に鑑みてなされたものであり、その目的とするところは、所望の入金額及び投入貨幣の金種に応じて電子マネーを入金することの可能な電子マネー入金機を提供することにある。
【課題を解決するための手段】
【０００９】
本発明は、前記目的を達成するために、電子マネーサービスで用いられる電子マネーの残高が記憶されたＩＣチップに対してデータの読み書きを行うアクセスユニットを備え、投入された貨幣の金額をアクセスユニットを介してＩＣチップの電子マネーの残高に加算するようにした電子マネー入金機において、前記貨幣の金種を指定するための金種指定手段と、投入された貨幣の金種が金種指定手段によって指定された所定の金種と一致している場合にのみ投入貨幣を受容する受容手段と、受容手段によって受容された貨幣の金額をＩＣチップに記憶された電子マネーの残高に加算する制御手段とを備えている。
【００１０】
これにより、金種指定手段を用いて指定された所定の金種に一致した貨幣の投入数に応じて貨幣の金額がＩＣチップに記憶された電子マネーの残高に加算されるので、利用者が所望する入金額及び貨幣の金種に応じて電子マネーが入金される。
【発明の効果】
【００１１】
本発明によれば、利用者が所望する入金額及び貨幣の金種に応じて電子マネーを入金することができるので、例えば利用者が持ち合わせている貨幣の金種及び金額に応じて確実に電子マネーを入金することができ、利用者の利便性を向上させることができる。
【発明を実施するための最良の形態】
【００１２】
図１乃至図５は本発明の第１の実施形態を示すもので、図１は電子マネー入金機の斜視図、図２は電子マネー入金機の機能構成図、図３はＩＣカードの機能構成図、図４は入金履歴のデータ構造の一例を示す図、図５は電子マネー入金機の入金処理の動作を説明するフロー図である。
【００１３】
この電子マネー入金機１００は、電子マネーサービスで用いられる電子マネーの残高が記憶されたＩＣチップ１１を埋設したＩＣカード１０に対して、投入された貨幣の金額を加算する装置であり、公衆回線網等のネットワーク３００を介して、電子マネーの管理を行う電子マネー管理サーバ４００と通信可能となっている。
【００１４】
ＩＣカード１０は、外部装置との間で非接触通信が可能な記憶媒体であり、後述する電子マネー入金機１００のリーダライタ１１０との間で信号を送受信するコイル状のアンテナ（図示省略）と、アンテナに接続されたＩＣチップ１１とが埋設されている。ＩＣチップ１１には、図３に示すように電子マネーサービスの利用者を識別するための利用者ＩＤ１１ａと電子マネー残高１１ｂが記憶されており、ＩＣカード１０は、リーダライタ１１０から受信した信号に応じて利用者ＩＤ１１ａ及び電子マネー残高１１ｂのリーダライタ１１０への送信または電子マネー残高１１ｂの更新を行う。
【００１５】
電子マネー入金機１００は、前面を開口したカード載置部１０１と、紙幣を投入するための紙幣投入口１０２と、硬貨を投入するための硬貨投入口１０３と、投入された硬貨を返却するための硬貨返却口１０４と、入金情報が印刷されたレシートを排出するためのレシート排出口１０５と、ＩＣカード１０に対してデータの読み書きを行うアクセスユニットとしてのリーダライタ１１０と、投入する貨幣の金種を指定する金種指定手段としての金種指定部１２０と、ＩＣカード１０に対する電子マネーの入金処理を指示する入金指定手段としての入金ボタン１３０と、金種指定部１２０による金種の指定を取消す指定取消手段としての取消ボタン１４０と、投入された貨幣の正当性及び種別を識別して投入貨幣を受容する受容手段としての貨幣識別装置１５０と、文字や画像情報を表示する表示部１６０と、レシートを印刷するレシート印刷部１７０と、各種情報を記憶する記憶部１８０と、ネットワーク３００と接続するための通信装置１９０と、各機器を制御する制御部２００とを備えている。
【００１６】
リーダライタ１１０は、カード載置部１０１の下部に設けられており、カード載置部１０１に載置されたＩＣカード１０との間で信号の送受信を行うことにより、非接触でデータの読み取り及び書き込みを行う。
【００１７】
金種指定部１２０は複数のボタンからなり、各ボタンには「１０００円紙幣」や「５００円硬貨」等のようにそれぞれ異なった金種が割り当てられている。
【００１８】
貨幣識別装置１５０は、紙幣投入口１０２に投入された紙幣及び硬貨投入口１０３に投入された硬貨の正当性及び金種を識別するとともに、投入貨幣の金種が金種指定部１２０で指定されている場合には投入貨幣を受容する。
【００１９】
表示部１６０は液晶ディスプレイであり、ＩＣカード１０の電子マネー残高１１ｂや投入貨幣の金額を表示する。また、表示部１６０は、投入貨幣が貨幣識別装置１５０によって受容されなかった場合に文字または画像からなる異常情報を出力する異常情報出力手段を構成している。
【００２０】
レシート印刷部１７０はプリンタであり、投入貨幣の合計金額、電子マネーの入金処理後の電子マネー残高１１ｂ及び取引日付等をレシートに印刷した後に、レシートをレシート排出口１０５から排出する。
【００２１】
記憶部１８０は、ＥＥＰＲＯＭ等の書き換え可能な記憶素子であり、図４に示すように電子マネーが入金されたＩＣカード１０の利用者ＩＤ１１ａ、電子マネーの入金額及び取引日付等により構成された入金履歴１８１を記憶している。
【００２２】
通信装置１９０は、ネットワーク３００に接続するためのモデム等の通信機器である。なお、本実施形態では、ネットワーク３００として公衆回線網を用いており、これに対応してモデムを通信装置１９０として用いている。
【００２３】
制御部２００は、揮発性メモリである主記憶装置やＣＰＵ等を備え、入金ボタン１３０が押下された場合に、それまでに貨幣識別装置１５０に受容された貨幣の金額をＩＣカード１０の電子マネー残高１１ｂに加算する。また、制御部２００は、所定時間経過毎に記憶部１８０に記憶された入金履歴１８１を通信装置１９０及びネットワーク３００を介して電子マネー管理サーバ４００に送信する。
【００２４】
次に、電子マネー入金機１００の電子マネーの入金処理に係る動作について図５のフロー図を参照して説明する。まず、制御部２００は、ＩＣカード１０をカード載置部１０１に載置するように案内するメッセージを表示部１６０に表示させる（ステップＳ１）。そして、利用者が金種指定部１２０の各ボタンのうち投入貨幣の金種に対応するボタンを押下することによって金種を指定した後に（ステップＳ２）、ＩＣカード１０をカード載置部１０１に載置すると（ステップＳ３）、制御部２００は、金種指定部１２０で指定された金種の情報を貨幣識別装置１５０に送信するとともに、リーダライタ１１０を介して送信した信号に対する応答信号をＩＣカード１０から受信することによりＩＣカード１０を検知する（ステップＳ４）。この場合、ＩＣカード１０は、カード毎に付与された各カード固有のカードＩＤ（図示省略）を応答信号としてリーダライタ１１０に送信する。そして、制御部２００は、リーダライタ１１０を介してＩＣカード１０の利用者ＩＤ１１ａ及び電子マネー残高１１ｂを読出した後に電子マネー残高１１ｂを表示部１６０に表示させる（ステップＳ５）。
【００２５】
次いで、貨幣識別装置１５０は、利用者が紙幣投入口１０２または硬貨投入口１０３から貨幣を投入した後に（ステップＳ６）、投入貨幣の金種が金種指定部１２０で指定された金種と一致しているか判別し、金種が互いに一致している場合には（ステップＳ７）、投入貨幣を受容する。例えば、金種指定部１２０で「１０００円紙幣」と「５００円硬貨」が指定されている場合には、貨幣識別装置１５０は、１０００円紙幣と５００円硬貨のみを受容する。そして、貨幣識別装置１５０は投入貨幣の金額を制御部２００に送信し、制御部２００は、貨幣識別装置１５０から受信した金額を初期値０の入金額に加算する（ステップＳ８）とともに、加算後の入金額を表示部１６０に表示させる。
【００２６】
次に、貨幣識別装置１５０及び制御部２００は、入金ボタン１３０が押下されるまで上記ステップＳ６以降の処理を繰り返す。そして、制御部２００は、入金ボタン１３０が押下された場合に（ステップＳ９）、入金額をリーダライタ１１０を介してＩＣカード１０の電子マネー残高１１ｂに加算する（ステップＳ１０）。次いで、制御部２００は、ＩＣカード１０の利用者ＩＤ１１ａ、入金額及び利用日付を記憶部１８０の入金履歴１８１に記憶した後に入金額を０に更新する。また、制御部２００は、ＩＣカード１０を検知している場合には上記ステップＳ５以降の処理を繰り返す。
【００２７】
また、上記ステップＳ４においてＩＣカード１０が検知されない場合、即ちＩＣカード１０がカード載置部１０１から取り出された場合には、制御部２００は、レシート印刷部１７０にレシートを印刷させるとともに、レシートをレシート排出口１０５から排出させる（ステップＳ１５）。
【００２８】
さらに、上記ステップＳ６において貨幣が投入されずに取消ボタン１４０が押下された場合には（ステップＳ１３）、制御部２００は、金種指定部１２０を用いた金種指定を解除する（ステップＳ１４）。即ち、制御部２００は、全金種の貨幣を受容するように指示する信号を貨幣識別装置１５０に送信し、貨幣識別装置１５０は、この信号を制御部２００から受信した後に、全金種の貨幣を受容する。
【００２９】
また、上記ステップＳ７において投入貨幣の金種と金種指定部１２０で指定された金種とが一致しない場合には、貨幣識別装置１５０は投入貨幣を排出する（ステップＳ１１）。具体的には、貨幣識別装置１５０は、投入貨幣が紙幣である場合には紙幣投入口１０２から投入貨幣を排出し、投入貨幣が硬貨である場合には硬貨返却口１０４から投入貨幣を排出する。そして、貨幣識別装置１５０は、異常発生を示す信号を制御部２００に送信し、制御部２００は、この信号を貨幣識別装置１５０から受信した後に、表示部１６０に文字または画像からなる異常情報を表示させる（ステップＳ１２）。
【００３０】
このように、本実施形態の電子マネー入金機１００によれば、貨幣の金種を指定するための金種指定部１２０と、投入された貨幣の金種が金種指定部１２０によって指定された所定の金種と一致している場合にのみ投入貨幣を受容する貨幣識別装置１５０と、貨幣識別装置１５０によって受容された貨幣の金額をＩＣチップ１１に記憶された電子マネー残高１１ｂに加算する制御部２００とを備えているので、金種指定部１２０で指定された所定の金種に一致した貨幣の投入数に応じて貨幣の金額が電子マネー残高１１ｂに加算され、所望の入金額及び投入貨幣の金種に応じて電子マネーが入金される。従って、利用者が持ち合わせている貨幣の金種及び金額に応じて確実に電子マネーを入金することができるので、利用者の利便性を向上させることができる。
【００３１】
また、金種指定部１２０を貨幣の金種を複数種類指定可能に構成するとともに、貨幣識別装置１５０を、投入貨幣の種類が金種指定部１２０によって指定された貨幣の金種に含まれる場合に投入貨幣を受容するように構成したので、同時に複数種類の貨幣を投入することができる。従って、例えば一種類の貨幣の投入を貨幣の種類数に応じて繰り返す場合よりも電子マネーの入金処理を短時間で行うことができ、利用者の利便性をさらに向上させることができる。
【００３２】
さらに、貨幣識別装置１５０を、投入貨幣の金種が金種指定部１２０によって指定されていない場合に投入貨幣を外部に排出するように構成したので、金種指定部１２０で指定していない金種の貨幣が誤って投入されても投入貨幣を排出することができ、誤って投入された貨幣の金額がＩＣチップ１１の電子マネー残高１１ｂに加算されることを確実に防止することができる。
【００３３】
また、ＩＣチップ１１に対する電子マネーの入金処理を指示するための入金ボタン１３０を備え、制御部２００を、入金ボタン１３０によって入金処理を指示されたときに貨幣識別装置１５０によって受容された貨幣の金額をＩＣチップ１１に記憶された電子マネー残高１１ｂに加算するように構成したので、入金ボタン１３０が押下されるまで電子マネーがＩＣチップ１１に入金されない。従って、貨幣の投入数を誤ることによって不要な電子マネーが入金されることを確実に防止することができる。
【００３４】
さらに、金種指定部１２０による貨幣の金種の指定を取消すための取消ボタン１４０を備え、貨幣識別装置１５０を、取消ボタン１４０によって貨幣の金種の指定が取消された場合に全ての金種の貨幣を受容するように構成したので、取消ボタン１４０を押下することにより全種類の貨幣の金額をＩＣチップ１１の電子マネー残高１１ｂに加算することができる。従って、金種の指定を誤った場合に改めて電子マネーの入金処理を行う必要がないので、電子マネーの入金処理を短時間で行うことができ、利用者の利便性を向上させることができる。
【００３５】
また、投入貨幣が貨幣識別装置１５０によって受容されなかった場合に文字または画像からなる異常情報を出力する表示部１６０を備えたので、貨幣が誤投入されたことを利用者に確実に知らせることができる。
【００３６】
以下に本発明の第２の実施形態に係る電子マネー入金機について説明する。本実施の形態が第１の実施形態と異なる点は、貨幣識別装置１５０によって貨幣が受容される毎に受容された貨幣の金額をＩＣチップ１１の電子マネー残高１１ｂに加算するように構成した点にある。これにより、図６に示すように、入金ボタン１３０を設けることなく電子マネーの入金処理を行うことができる。他の構成及び動作については第１の実施形態と同様なので、ここでは相違点のみを説明する。
【００３７】
本実施形態の制御部２００は、貨幣識別装置１５０によって貨幣が受容される毎に受容された貨幣の金額をＩＣカード１０の電子マネー残高１１ｂに加算する。
【００３８】
次に、電子マネー入金機１００の電子マネーの入金処理に係る動作について図７のフロー図を参照して説明する。なお、このフロー図におけるステップＳ２１乃至ステップＳ２７及びステップＳ２９乃至ステップＳ３３のそれぞれの処理内容は、図５のフロー図におけるステップＳ１乃至Ｓ７及びＳ１１乃至Ｓ１５のそれぞれの処理内容と同様である。ステップＳ２７において投入貨幣の金種と金種指定部１２０で指定された金種とが互いに一致している場合には、貨幣識別装置１５０は、投入貨幣を受容するとともに、投入貨幣の金額を制御部２００に送信する。そして、制御部２００は、貨幣識別装置１５０から受信した金額を、リーダライタ１１０を介してＩＣカード１０の電子マネー残高１１ｂに加算する。また、制御部２００は、ＩＣカード１０を検知している場合には貨幣識別装置１５０から金額を受信する毎にその金額を初期値０の入金額に加算し、加算後の入金額を表示部１６０に表示させる。なお、ステップＳ２４においてＩＣカード１０が検知されなくなった場合には、制御部２００は、ＩＣカード１０の利用者ＩＤ１１ａ、入金額及び利用日付を記憶部１８０の入金履歴１８１に記憶した後に入金額を０に更新する。
【００３９】
このように、本実施形態の電子マネー入金機１００によれば、制御部２００を、貨幣識別装置１５０によって貨幣が受容される毎に受容された貨幣の金額をＩＣチップ１１に記憶された電子マネー残高１１ｂに加算するように構成したので、貨幣を投入するだけで電子マネーの入金処理を行うことができる。従って、電子マネーを入金する際の操作が容易となるので、利用者の利便性を向上させることができる。
【００４０】
なお、上記実施形態では、異常情報出力手段として表示部１６０を用いて説明したが、他にも異常発生時に警告音を出力するスピーカ等の音声出力部を用いてもよい。
【図面の簡単な説明】
【００４１】
【図１】本発明の第１の実施形態に係る電子マネー入金機の斜視図
【図２】電子マネー入金機の機能構成図
【図３】ＩＣカードの機能構成図
【図４】入金履歴のデータ構造の一例を示す図
【図５】電子マネー入金機の入金処理の動作を説明するフロー図
【図６】本発明の第２の実施形態に係る電子マネー入金機の機能構成図
【図７】電子マネー入金機の入金処理の動作を説明するフロー図
【符号の説明】
【００４２】
１０…ＩＣカード、１１ｂ…電子マネー残高、１００…電子マネー入金機、１１０…リーダライタ、１２０…金種指定部、１３０…入金ボタン、１４０…取消ボタン、１６０…表示部、２００…制御部。
【図１】
2007199970.tif 000003
【図２】
2007199970.tif 000004
【図３】
2007199970.tif 000005
【図４】
2007199970.tif 000006
【図５】
2007199970.tif 000007
【図６】
2007199970.tif 000008
【図７】
2007199970.tif 000009